(57)【要約】【課題】立体的な意匠の表示を行うことができる表示装置を提供する。【解決手段】表示装置１は、偏光領域の一つである第１の偏光領域３０、及び意匠領域の一つである第１の意匠領域３１を有する第１の偏光板３と、偏光領域の一つである第２の偏光領域４０、及び意匠領域の一つである第２の意匠領域４１を有する第２の偏光板４と、偏光領域の一つである第３の偏光領域５０を有する第３の偏光板５と、を備え、第１の偏光板３と第２の偏光板４とは、第１の偏光領域３０における第１方向と、第２の偏光領域４０における第１方向とが互いに異なり、かつ、光の経路に沿って距離Ｄを離して配置され、第３の偏光板５は、第１の偏光領域３０における第１方向と第２の偏光領域４０における第１方向との間に、第３の偏光領域５０における第１方向が位置するように配置される。【選択図】図１
2019053014.tif 000002
【特許請求の範囲】
【請求項１】
第１方向から、前記第１方向と直交する第２方向に渡って、第１方向に振動する光の透過率が最も高く前記第２方向に振動する光が遮光されるように、光の振動方向によって透過率が変化する領域を偏光領域とし、前記光の振動方向に関わらず光を透過させる領域を意匠領域とし、
前記偏光領域の一つである第１の偏光領域、及び前記意匠領域の一つである第１の意匠領域を有する第１の偏光板と、
前記偏光領域の一つである第２の偏光領域、及び前記意匠領域の一つである第２の意匠領域を有する第２の偏光板と、
前記偏光領域の一つである第３の偏光領域を有する第３の偏光板と、
を備え、
前記第１の偏光板と前記第２の偏光板とは、前記第１の偏光領域における第１方向と、前記第２の偏光領域における第１方向とが互いに異なり、かつ、前記光の経路に沿って距離を離して配置され、
前記第３の偏光板は、前記第１の偏光領域における第１方向と前記第２の偏光領域における第１方向との間に、前記第３の偏光領域における第１方向が位置するように配置される、
表示装置。
【請求項２】
前記第１の意匠領域と前記第２の意匠領域とは、光の経路に沿って、少なくとも一部分が重なるように配置される、
請求項１に記載の表示装置。
【請求項３】
前記第１の意匠領域及び前記第２の意匠領域の形状は、同一である、
請求項１又は２に記載の表示装置。
【請求項４】
前記第３の偏光板は、回転可能に構成されている、
請求項１乃至３のいずれか１項に記載の表示装置。
【請求項５】
前記第３の偏光板、前記第２の偏光板及び前記第１の偏光板の順に配置された場合、
前記偏光領域の一つである第４の偏光領域を有する第４の偏光板を、更に備え、
前記第４の偏光板は、前記光の経路に沿った方向と直交する方向に沿って前記第３の偏光板と並んで、前記第１の偏光領域における第１の方向または前記第２の偏光領域における第１の方向と、前記第４の偏光領域における第１の方向とが一致したとみなせる範囲内となるように配置される、
請求項１乃至３のいずれか１項に記載の表示装置。
【発明の詳細な説明】
【技術分野】
【０００１】
本発明は、表示装置に関する。
【背景技術】
【０００２】
従来の技術として、複数枚の偏光板と、位相差をパターン化した少なくとも１枚の光学素子とを有し、各偏光板の間にこの光学素子を挟んだ状態で光軸上に重ねて配置してなる表示部と、表示部における偏光板と光学素子の少なくともいずれか一方を光軸回りに回転させて、複数の位相差のパターンの表示を切り替える表示切替部と、を備えた切替機能付き表示盤が知られている（例えば、特許文献１参照。）。
【０００３】
この表示切替部は、表示部に対する外部操作と該表示部の回転を連動させて表示を切り替える。
【先行技術文献】
【特許文献】
【０００４】
【特許文献１】特開２０１３−１１７９５号公報
【発明の概要】
【発明が解決しようとする課題】
【０００５】
このような表示盤は、平面的な意匠の表示を行うことはできるが、立体的な意匠の表示を行うことが困難な問題がある。
【０００６】
従って本発明の目的は、立体的な意匠の表示を行うことができる表示装置を提供することにある。
【課題を解決するための手段】
【０００７】
本発明の一態様は、第１方向から、第１方向と直交する第２方向に渡って、第１方向に振動する光の透過率が最も高く第２方向に振動する光が遮光されるように、光の振動方向によって透過率が変化する領域を偏光領域とし、光の振動方向に関わらず光を透過させる領域を意匠領域とし、偏光領域の一つである第１の偏光領域、及び意匠領域の一つである第１の意匠領域を有する第１の偏光板と、偏光領域の一つである第２の偏光領域、及び意匠領域の一つである第２の意匠領域を有する第２の偏光板と、偏光領域の一つである第３の偏光領域を有する第３の偏光板と、を備え、第１の偏光板と第２の偏光板とは、第１の偏光領域における第１方向と、第２の偏光領域における第１方向とが互いに異なり、かつ、光の経路に沿って距離を離して配置され、第３の偏光板は、第１の偏光領域における第１方向と第２の偏光領域における第１方向との間に、第３の偏光領域における第１方向が位置するように配置される、表示装置を提供する。
【発明の効果】
【０００８】
本発明によれば、立体的な意匠の表示を行うことができる。
【図面の簡単な説明】
【０００９】
【図１】図１（ａ）は、第１の実施の形態に係る表示装置の一例を示す展開図であり、図１（ｂ）は、表示装置の構成の一例を説明するための概略図である。
【図２】図２（ａ）〜図２（ｃ）は、第１の実施の形態に係る表示装置のダイヤルの回転と表示される意匠の関係の一例を説明するための概略図であり、図２（ｄ）〜図２（ｆ）は、第３の偏光板の回転による振動方向の一例を説明するための概略図である。
【図３】図３（ａ）は、第２の実施の形態に係る表示装置が搭載されたミラー装置の一例を示す概略図であり、図３（ｂ）は、表面的な意匠を表示させる動作の一例を説明するための概略図であり、図３（ｃ）は、立体的な意匠を表示させる動作の一例を説明するための概略図である。
【発明を実施するための形態】
【００１０】
（実施の形態の要約）
実施の形態に係る表示装置は、第１方向から、第１方向と直交する第２方向に渡って、第１方向に振動する光の透過率が最も高く第２方向に振動する光が遮光されるように、光の振動方向によって透過率が変化する領域を偏光領域とし、光の振動方向に関わらず光を透過させる領域を意匠領域とし、偏光領域の一つである第１の偏光領域、及び意匠領域の一つである第１の意匠領域を有する第１の偏光板と、偏光領域の一つである第２の偏光領域、及び意匠領域の一つである第２の意匠領域を有する第２の偏光板と、偏光領域の一つである第３の偏光領域を有する第３の偏光板と、を備え、第１の偏光板と第２の偏光板とは、第１の偏光領域における第１方向と、第２の偏光領域における第１方向とが互いに異なり、かつ、光の経路に沿って距離を離して配置され、第３の偏光板は、第１の偏光領域における第１方向と第２の偏光領域における第１方向との間に、第３の偏光領域における第１方向が位置するように配置される、を備えて概略構成されている。
【００１１】
この表示装置は、第３の偏光板によって変更された光によって形成された第１の偏光板及び第２の偏光板の意匠が重なって形成されるので、この構成を採用しない場合と比べて、立体的な意匠の表示を行うことができる。
【００１２】
[第１の実施の形態]
（表示装置１の概要）
以下に記載する実施の形態に係る各図において、図形間の比率は、実際の比率とは異なる場合がある。また数値範囲を示す「Ａ〜Ｂ」は、Ａ以上Ｂ以下の意味で用いるものとする。なお第１の偏光板３〜第３の偏光板５に付した斜線は、透過させる光の振動方向を示している。
【００１３】
この表示装置１は、例えば、車両に搭載された空調装置及びナビゲーション装置などの電子機器に用いられる。また表示装置１は、例えば、自動運転のモードの表示を切り替える装置などとしても使用可能である。本実施の形態の表示装置１は、一例として、空調装置の機能のオン、オフを表示するものとする。
【００１４】
表示装置１は、例えば、図１（ａ）及び図１（ｂ）に示すように、表示部２と、第１の偏光板３と、第２の偏光板４と、第３の偏光板５と、拡散層６と、光源７と、を備えて概略構成されている。そしてさらに表示装置１は、例えば、図２（ａ）〜図２（ｃ）に示すように、回転操作可能なダイヤル１００を備えている。
【００１５】
この表示装置１は、第１方向から、第１方向と直交する第２方向に渡って、第１方向に振動する光の透過率が最も高く第２方向に振動する光が遮光されるように、光の振動方向によって透過率が変化する領域を偏光領域とし、光の振動方向に関わらず光を透過させる領域を意匠領域としている。
【００１６】
具体的には、第１の偏光板３は、例えば、図１（ａ）に示すように、偏光領域の一つである第１の偏光領域３０、及び意匠領域の一つである第１の意匠領域３１を備えて概略構成されている。この第１の偏光板３では、第１方向が第１振動方向１１であり、第２方向が第２振動方向１１である。図１（ａ）及び図１（ｂ）に示す第１の偏光板３の縦向きの線は、第１振動方向１１の光の透過率が最も高いことを示している。
【００１７】
第２の偏光板４は、例えば、図１（ａ）に示すように、偏光領域の一つである第２の偏光領域４０、及び意匠領域の一つである第２の意匠領域４１を備えて概略構成されている。この第２の偏光板４では、第１方向が第２振動方向１２であり、第２方向が第１振動方向１１である。図１（ａ）及び図１（ｂ）に示す第２の偏光板４の横向きの線は、第２振動方向１２の光の透過率が最も高いことを示している。
【００１８】
なお第１の偏光板３の第１方向と第２の偏光板４の第１方向とは、直交に限定されず、交差していれば良い。
【００１９】
第３の偏光板５は、例えば、図１（ａ）に示すように、偏光領域の一つである第３の偏光領域５０を有する第３の偏光板５を備えて概略構成されている。図１（ａ）に示す第３の偏光板５の斜線は、第１振動方向１１と第２振動方向１２の間の振動方向の光を選択的に透過させることを示している。また図１（ｂ）に示す第３の偏光板５の横向きの線は、第２振動方向１２の光を選択的に透過させることを示している。なお選択的に透過させるとは、その振動方向以外の光の透過率がほぼゼロであることを示している。
【００２０】
ここで第１の偏光板３と第２の偏光板４とは、第１の偏光領域３０における第１方向（第１振動方向１１）と、第２の偏光領域４０における第１方向（第２振動方向１２）とが互いに異なり、かつ、光８の経路に沿って距離Ｄを離して配置されている。また第３の偏光板５は、第１の偏光領域３０における第１方向と第２の偏光領域４０における第１方向との間に、第３の偏光領域５０における第１方向が位置するように配置される。なお光８の経路とは、例えば、図１（ａ）に示す光軸Ｌに沿う経路である。
【００２１】
表示部２は、例えば、図１（ａ）及び図１（ｂ）に示すように、第３の偏光板５、第２の偏光板４及び第１の偏光板３の順に配置されてこれらを透過した光によって第１の意匠領域３１及び第２の意匠領域４１に基づく立体的な意匠２５を表示する。
【００２２】
なお立体的な意匠２５とは、第１の意匠領域３１が表示部２に投影されて形成された第１の意匠２５ａと、第２の意匠領域４１が表示部２に投影されて形成された第２の意匠２５ｂと、が距離Ｄに基づいて異なる形状で重なることであたかも立体的に見える意匠である。言い換えるなら立体的な意匠２５は、偏光特性が解除されることによって形成される第１の偏光板３の表示と第２の偏光板４の表示とが重なることで生じるものである。図１（ａ）などに図示された立体的な意匠２５は、模式的に示した一例である。
【００２３】
この偏光特性の解除とは、特定の振動方向の光のみを透過させたり、遮光させたりするのではなく、光が第１の偏光領域３０及び第２の偏光領域４０の両方を透過するようにすることを示している。
【００２４】
なお変形例として表示部２は、第２の偏光板４、第１の偏光板３及び第３の偏光板５の順に配置されてこれらを透過した光によって第１の意匠領域３１及び第２の意匠領域４１に基づく立体的な意匠２５を表示するようにされても良い。この場合、拡散層６は、光源７と第２の偏光板４との間に配置される。
【００２５】
第１振動方向１１と第２振動方向１２とは、上述のように、直交する振動方向である。なお第１振動方向１１と第２振動方向１２は、直交に限定されず、振動方向が異なっていれば良いが、平面的な意匠２５と立体的な意匠２５とを切り替える精度を良くするため、直交することが好ましい。
【００２６】
ここで第１振動方向１１は、例えば、図１（ａ）の紙面の上下方向の矢印で示す振動方向である。また第２振動方向１２は、例えば、図１（ａ）の紙面の左右方向の矢印で示す振動方向である。さらに第３の振動方向１３は、例えば、図１（ａ）の紙面において第３の偏光板５に付された斜線の方向である。
【００２７】
第１の意匠領域３１と第２の意匠領域４１とは、光８の経路に沿って、少なくとも一部分が重なるように配置される。そして第１の意匠領域３１及び第２の意匠領域４１の形状は、同一である。言い換えるなら第１の意匠領域３１と第２の意匠領域４１は、光軸Ｌに沿って重ねられた場合に少なくとも一部が重なるように、距離Ｄ隔てて配置される。この距離Ｄは、立体的な意匠２５を形成するために必要な距離である。
【００２８】
第３の偏光板５は、回転可能に構成され、第１振動方向１１又は第２振動方向１２の光を透過させることにより、第１の意匠領域３１又は第２の意匠領域４１に基づく平面的な意匠２５を形成するように構成されている。
【００２９】
（表示部２の構成）
表示部２は、例えば、図１（ａ）及び図１（ｂ）に示すように、意匠２５が表示される円板であり、基部２０と、スモーク層２１と、を備えて概略構成されている。
【００３０】
基部２０は、例えば、透明な樹脂によって形成されている。スモーク層２１は、例えば、基部２０の表面側に配置されたスモークフィルムからなる層であるがこれに限定されず、印刷などによって形成されても良い。このスモーク層２１は、光の透過率が低く、黒色に見える層である。
【００３１】
つまり表示部２は、例えば、図２（ａ）に示すように、照明されない自然光のみの場合、背景の黒のみで意匠２５が表示されない、所謂ブラックアウトとなるようにされている。この表示部２の表面は、意匠２５が表示される表示面２２である。
【００３２】
（第１の偏光板３の構成）
第１の偏光板３は、例えば、偏光機能を有して円板形状に形成されている。この第１の偏光板３は、例えば、図１（ａ）に示すように、第１の偏光領域３０と、第１の意匠領域３１と、を備えている。
【００３３】
第１の偏光領域３０は、第１振動方向１１の光の透過率が最大となるように構成されている。第１の偏光領域３０は、一例として、振動方向が変わることで連続的に透過率が変化し、第１振動方向１１から４５°傾いた光の透過率が５０％となる。なお直交する振動方向の光は、透過率がほぼゼロとなる。
【００３４】
第１の意匠領域３１は、例えば、レーザなどによって第１の偏光領域３０の偏光機能を部分的に除去することで形成されている。この第１の意匠領域３１は、拡散層６、第３の偏光板５及び第２の偏光板４を介して入射する光を透過させる領域である。また第１の意匠領域３１の形状は、表示装置１がオン、オフする機能の意匠とされている。
【００３５】
（第２の偏光板４の構成）
第２の偏光板４は、例えば、偏光機能を有して円板形状に形成されている。この第２の偏光板４は、例えば、図１（ａ）に示すように、第２の偏光領域４０と、第２の意匠領域４１と、を備えている。
【００３６】
第２の偏光領域４０は、第２振動方向１２の光の透過率が最大となるように構成されている。第２の偏光領域４０は、一例として、振動方向が変わることで連続的に透過率が変化し、第２振動方向１２から４５°傾いた光の透過率が５０％となる。なお直交する振動方向の光は、透過率がほぼゼロとなる。
【００３７】
第２の意匠領域４１は、例えば、レーザなどによって第２の偏光領域４０の偏光機能を部分的に除去することで形成されている。この第２の意匠領域４１は、拡散層６及び第３の偏光板５を介して入射する光を透過させる領域である。また第２の意匠領域４１の形状は、表示装置１がオン、オフする機能の意匠とされている。
【００３８】
そして上述のように、第２の意匠領域４１の形状は、第１の意匠領域３１の形状と同一とされている。なお変形として第１の意匠領域３１の形状と第２の意匠領域４１の形状が縮小又は拡大された形状であっても良いし、異なる形状であっても良い。また第２の意匠領域４１の形状が第１の意匠領域３１よりも大きい形状を有していた場合、同一の場合と比べて、より立体的な意匠２５となる。ここで形状とは、全体の形のみならず線の太さを含むものとする。
【００３９】
また変形例として表示装置１は、異なる図形をパーツごとに第１の偏光板３及び第２の偏光板４に形成し、立体的な意匠２５として表示させることができる。
【００４０】
（第３の偏光板５の構成）
第３の偏光板５は、例えば、表示部２、第１の偏光板３及び第２の偏光板４よりも直径が大きくされ、ダイヤル１００に取り付けられてダイヤル１００と共に回転するように構成されている。この第３の偏光板５は、第３の振動方向１３の光のみを透過させる第３の偏光領域５０を有している。
【００４１】
つまり第３の偏光板５は、例えば、第３の偏光領域５０によって第３の振動方向１３以外の振動方向の光を吸収するように構成されている。従って第３の偏光板５を透過する光は、第３の振動方向１３の偏光成分を有する直線偏光の光となる。なお変形例として第３の偏光板５は、第３の振動方向１３の光のみを透過させるのではなく、第３の振動方向１３の光の透過率が最大となるように構成されても良い。
【００４２】
この第３の振動方向１３は、例えば、第２振動方向１２に対して３０°〜６０°の範囲であることが好ましい。この範囲は、４５°を基準として±１５°回転した角度である。本実施の形態では、第３の振動方向１３は、ダイヤル１００の節度に基づいて第２振動方向１２から１５°回転した４５°であるものとする。
【００４３】
（拡散層６の構成）
拡散層６は、例えば、第３の偏光板５と同じ直径の円板形状を有している。この拡散層６は、第３の偏光板５に取り付けられてダイヤル１００と共に回転するように構成されているがこれに限定されず、他の部材に取り付けられてダイヤル１００と共に回転しないようにされても良い。
【００４４】
拡散層６は、光を透過させる透明樹脂によって形成され、この透明樹脂と屈折率の異なる粒子（拡散剤）を分散して有している。そして拡散層６は、光源７から出力された光８を透過させると共に拡散させて均一に光８が第３の偏光板５に入射するようにしている。
【００４５】
（光源７の構成）
光源７は、例えば、ＬＥＤ（Light Emitting Diode）素子やレーザ素子などを用いて構成されている。なお光源７は、複数配置されても良い。
【００４６】
（ダイヤル１００の構成）
ダイヤル１００は、例えば、円筒形状を有し、表示部２、第１の偏光板３、第２の偏光板４、第３の偏光板５及び拡散層６が円筒の孔１０１に配置されている。表示部２、第１の偏光板３及び第２の偏光板４は、ダイヤル１００の操作に伴って回転しないようにされている。
【００４７】
このダイヤル１００は、例えば、操作量（回転量θ）によって平面的な意匠２５（二次元的な意匠）と立体的な意匠２５（三次元的な意匠）を切り替えるように構成されている。本実施の形態のダイヤル１００の回転量θが０°の場合、例えば、図２（ｂ）に示すように、平面的な意匠２５が表示される。そしてダイヤル１００の回転量θが４５°の場合、例えば、図２（ｃ）に示すように、立体的な意匠２５が表示される。ダイヤル１００は、例えば、回転量θが０°の位置と４５°の位置に節度を備えている。
【００４８】
以下に本実施の形態の表示装置１の平面的な意匠２５と立体的な意匠２５の切り替え動作について説明する。
【００４９】
（動作）
・意匠２５の表示前について
図２（ａ）は、光源７から光８が射出されず、またダイヤル１００の操作量（回転量θ）が０°である場合を示している。この際の第３の偏光板５は、図２（ｂ）に示すように、第３の振動方向１３が第２の偏光板４の光の透過率が最大となる第２振動方向１２と一致する振動方向となっている。
【００５０】
・平面的な意匠２５について
図２（ｂ）は、光源７から光８が出力され、またダイヤル１００の操作量（回転量θ）が０°である場合を示している。この際の第３の偏光板５は、図２（ｅ）に示すように、第３の振動方向１３が第２の偏光板４の第２振動方向１２と一致する振動方向となっている。
【００５１】
従って光源７から出力された光８は、第３の偏光板５によって第３の振動方向１３に偏光される。この偏光された光は、第２の偏光板４の透過率が最も高い第２振動方向１２と同じ振動方向の光であるので、第２の意匠領域４１のみならず第２の偏光領域４０も透過する。つまり第３の偏光板５によって偏光された光は、第２の偏光板４を全透過して第１の偏光板３に入射する。
【００５２】
第１の偏光板３は、主に第１振動方向１１の光を透過させる。従って第１の偏光領域３０を透過する光は、振動方向が直交することからほぼゼロとなり、第１の意匠領域３１を透過した光が表示部２に入射する。そして第１の意匠領域３１を透過した光が表示部２の表示面２２に表示される平面的な意匠２５となる。
【００５３】
この平面的な意匠２５（第１の意匠２５ａ）は、第１の意匠領域３１を透過した光によって形成される。本実施の形態では、車両の電源が投入されて光源７から光８が出力されると、この平面的な意匠２５が表示される。
【００５４】
・立体的な意匠２５について
図２（ｃ）は、光源７から光８が出力され、またダイヤル１００の操作量（回転量θ）が４５°である場合を示している。この際の第３の偏光板５は、図２（ｆ）に示すように、第３の振動方向１３がダイヤル１００の回転量θに応じて４５°に変化する。
【００５５】
光源７から出力された光８は、第３の偏光板５によって第３の振動方向１３に偏光される。この偏光された光は、第２の偏光板４の透過率が最も高い第２振動方向１２に対して４５°傾いた振動方向の光であるので、第２の意匠領域４１を透過すると共に、第２の偏光領域４０を透過率５０％で透過する。
【００５６】
第２の偏光板４を透過した光は、第１の偏光板３の第１の偏光領域３０を透過率５０％で透過すると共に第１の意匠領域３１を透過する。
【００５７】
そして第２の意匠領域４１を透過した光は、第１の偏光板３と第２の偏光板４とが距離Ｄを隔てて配置されていることから、形状などが異なって第１の偏光板３に到達し、第１の偏光領域３０と第１の意匠領域３１に入射する。この第１の偏光領域３０に入射した光は、上述のように、透過率５０％で透過する。
【００５８】
従って第１の意匠領域３１を透過して表示部２に投影される第１の意匠２５ａと、この第１の意匠２５ａよりも少しずれた第２の意匠２５ｂと、が表示部２の表示面２２に表示され、この２つの表示（第１の意匠２５ａ及び第２の意匠２５ｂ）によって立体的な意匠２５が表示される。
【００５９】
（第１の実施の形態の効果）
本実施の形態に係る表示装置１は、立体的な意匠２５の表示を行うことができる。具体的には、表示装置１は、第３の偏光板５によって偏光された光を用いた偏光特性の解除により形成された第１の偏光板３及び第２の偏光板４の第１の意匠２５ａ及び第２の意匠２５ｂが重なって意匠２５として表示部２に形成されるので、この構成を採用しない場合と比べて、立体的な意匠２５の表示を行うことができる。
【００６０】
表示装置１は、第１の偏光板３と第２の偏光板４を距離Ｄ離して配置するので、意図して離して配置しない場合と比べて、奥行き感のある立体的な意匠２５を表示することができる。
【００６１】
表示装置１は、第３の偏光板５を回転させることで透過させる振動方向を変えることができるので、この構成を採用しない場合と比べて、平面的な意匠２５と立体的な意匠２５とをダイヤル１００の回転によって容易に切り替えることができる。従って表示装置１は、空調装置などの電子機器に使用された場合、手動で平面的な意匠２５と立体的な意匠２５とを切り替えることができ、機能のオン、オフなどの切り替わりが視認し易く、また制御によって切り替える場合と比べて、コストを抑制することができる。
【００６２】
［第２の実施の形態］
第２の実施の形態は、平面的な意匠と立体的な意匠とを光源の切り替えによって形成する点で第１の実施の形態と異なっている。なお以下に記載する実施の形態において、第１の実施の形態と同じ機能及び構成を有する部分は、第１の実施の形態と同じ符号を付し、その説明は省略するものとする。
【００６３】
図３（ａ）は、車両９のミラー装置９１の一例を示している。この車両９は、車両９に他車が接近した場合、ミラー装置９１のミラー９２に警告表示９５を表示させる。この警告表示９５は、例えば、自車を示す第１の意匠９３と、他車を示す第２の意匠９４と、を備えて概略構成されている。
【００６４】
本実施の形態の表示装置１は、例えば、図３（ｂ）及び図３（ｃ）に示すように、第３の偏光板５、第２の偏光板４及び第１の偏光板３の順に配置された場合、偏光領域の一つである第４の偏光領域を有する第４の偏光板５ａを、更に備えている。この第４の偏光板５ａは、光の経路に沿った方向と直交する方向に沿って第３の偏光板５と並んで、第１の偏光領域３０における第１の方向または第２の偏光領域４０における第１の方向と、第４の偏光領域における第１の方向とが一致したとみなせる範囲内となるように配置される。なお第４の偏光板５ａは、偏光領域のみが設けられている。
【００６５】
また表示装置１は、拡散層６と、第３の偏光板５を介して光８を出力する光源７と、第４の偏光板５ａを介して光８ａを出力する光源７ａと、を備えている。
【００６６】
この表示装置１は、第４の偏光板５ａを介して光が出力される場合、平面的な意匠をミラー９２に表示し、第３の偏光板５及び第４の偏光板５ａを介して光が出力される場合、立体的な意匠をミラー９２に表示する。具体的には、表示装置１は、例えば、車両９の指示に従って光源７から光８を出力する場合と、光源７から光８を出力すると共に光源７ａから光８ａを出力する場合と、を切り替えて、平面的な警告表示９５と立体的な警告表示９５とを切り替える。
【００６７】
本実施の形態の第４の偏光板５ａは、第２の偏光板４と同じ振動方向である第２振動方向１２の光を選択的に透過させるように、つまり光の経路上の全域が第４の偏光領域となるように構成されている。従って第１の偏光板３の第１の意匠領域３１が投影されたものが平面的な警告表示９５となる。
【００６８】
この場合、第１の偏光板３の第１の意匠領域３１が第１の意匠９３と第２の意匠９４の形状を有し、第２の偏光板４の第２の意匠領域４１が第２の意匠９４の形状を有している。
【００６９】
なお第４の偏光板５ａが第１の偏光板３と同じ第１振動方向１１の光を選択的に透過させる場合、光源７ａから光８ａが出力されると、第２の偏光板４の第２の意匠領域４１が投影される。
【００７０】
（平面的な警告表示９５と立体的な警告表示９５について）
表示装置１は、他車が予め定められた距離以上離れているが警告を行う範囲内である場合、例えば、図３（ｂ）に示すように、光源７ａから光８ａを出力し、平面的な警告表示９５を表示する。
【００７１】
具体的には、光８ａは、第２の偏光板４と振動方向が同一となる第４の偏光板５ａを透過するので、第１の偏光板３の第１の意匠領域３１がミラー９２に投影され、平面的な意匠である警告表示９５となる。
【００７２】
また表示装置１は、他車が予め定められた距離より接近した場合、例えば、図３（ｃ）に示すように、さらに光源７から光８を出力し、第２の意匠９４が立体的な意匠となった警告表示９５を表示する。
【００７３】
具体的には、表示装置１は、光源７ａに加えて光源７から光８を出力する。この光８は、第３の偏光板３に入力し、第３の振動方向１３に偏光した光として第２の偏光板４に入力し、第２の偏光板４の第２の意匠領域４１が第１の意匠領域３１と共にミラー９２に投影される。従って表示装置１は、第１の意匠領域３１と第２の意匠領域４１とがミラー９２に投影されて重なり、立体的な警告表示９５が表示される。
【００７４】
ここで変形例として表示装置１は、光源７を点滅させることによって平面的な警告表示９５と立体的な警告表示９５とを切り替えてより視認し易いようにしても良い。
【００７５】
（第２の実施の形態の効果）
本実施の形態の表示装置１は、光源７のみの照明によって平面的な警告表示９５を表示し、光源７及び光源７ａの照明によって立体的な警告表示９５を表示させることができるので、この構成を採用しない場合と比べて、平面的な警告表示９５と立体的な警告表示９５とを容易に切り替えることができる。
【００７６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００７７】
１…表示装置、２…表示部、３…第１の偏光板、４…第２の偏光板、５…第３の偏光板、５ａ…第４の偏光板、６…拡散層、７，７ａ…光源、８，８ａ…光、９…車両、１１…第１振動方向、１２…第２振動方向、１３…第３の振動方向、２０…基部、２１…スモーク層、２２…表示面、２５…意匠、２５ａ…第１の意匠、２５ｂ…第２の意匠、３０…第１の偏光領域、３１…第１の意匠領域、４０…第２の偏光領域、４１…第２の意匠領域、５０…第３の偏光領域、９１…ミラー装置、９２…ミラー、９３…第１の意匠、９４…第２の意匠、９５…警告表示、１００…ダイヤル、１０１…孔
【図１】
2019053014.tif 000003
【図２】
2019053014.tif 000004
【図３】
2019053014.tif 000005